(57)【要約】【課題】構成部材の低減と結合部の品質の確保。【解決手段】ＰＣユニット１８は、垂直材１６の上下端に形成される概略Ｔ字形の上，下に配置された２部材結合部２０，２２を含んでいる。垂直材１６の両端には、上，下水平材を分断した上，下水平材ピース１２ａ，１４ａが一体に設けられていて、概略Ｉ字形に形成されている。架構体１０を形成する際には、ＰＣユニット１８が、ピース１２ａ側が上部に位置するように配置され、隣接して他のＰＣユニット１８が設置される。他のＰＣユニット１８は、天地を逆にして、ピース１２ａ側が下方に位置するように配置される。一対のＰＣユニット１８は、上，下水平材ピース１２ａ，１４ａの端部同士が対向するので、端部同士をスラスト方向に移動させて、接合部２４を介して、これらの間を連結し、同様な操作を繰り返すことで所望長さのラーメン形状のＰＣ製架構体１０が構築される。【選択図】  図２
2004225337.tif 000002
【特許請求の範囲】
【請求項１】
上下方向に所定の間隔を置いて平行に配置される一対の上，下水平材と、
両端が前記水平材に結合され、前記上，下水平材の長手方向と直交する垂直材とを備え、
前記垂直材が前記上，下水平材の長手方向に沿って所定の間隔を隔てて複数配置されるラーメン形状のプレキャストコンクリート製架構体であって、
前記垂直材の両端と前記上，下水平材との間に設けられる一対の２部材結合部を含み、前記上，下水平材を適宜長さで分断した上，下水平材ピースが、前記垂直材の両端に予め一体形成された概略Ｉ字形のプレキャストコンクリートユニットを備え、
前記プレキャストコンクリートユニットの複数を、天地を交互に逆転させた状態で順次隣接配置し、
前記上，下水平材ピースの端部間に接合部を介在させて、分断部分を相互に連結することを特徴とするプレキャストコンクリート製架構体。
【請求項２】
前記垂直材は、前記上，下水平材の長手方向に沿って等間隔で配置され、
前記上，下水平材ピースは、前記垂直材を中心として、その両端に等長になるように延設され、かつ、各上，下水平材ピースの１／２長の合計が前記等間隔内に含まれる前記上，下水平材の長さとなるようにしたことを特徴とする請求項１記載のプレキャストコンクリート製架構体。
【請求項３】
前記上，下水平材は、分断位置が異なっていて、前記上，下水平材ピースの長さを異ならせることを特徴とする請求項１記載のプレキャストコンクリート製架構体。
【請求項４】
上下方向に所定の間隔を置いて平行に配置される一対の上，下水平材と、
両端が前記水平材に結合され、前記上，下水平材の長手方向と直交する垂直材と、
前記上，下水平材の長手方向に沿って所定の間隔を隔てて複数配置された前記垂直材の前後方向に隣接する一対の上下端に両端が結合され、前記上，下水平材の長手方向と斜交する複数の斜材とを備えたトラス形状のプレキャストコンクリート製架構体であって、
前記垂直材と前記上，下水平材との間の２部材結合部、および、前記２部材結合部の一方に前後方向に隣接する一対の前記斜材の端部がそれぞれ結合した３部材結合部を含み、前記垂直材の両端部に、前記上，下水平材を適宜長さで分断した上，下水平材ピース、および、前記一対の斜材を適宜長さで分断した第１および第２斜材ピースとを予め一体成形したプレキャストコンクリートユニットを備え、
前記プレキャストコンクリートユニットの複数を、天地および表裏を交互に逆転させた状態で順次隣接配置し、
前記上，下水平材ピースの端部間、および、前記斜材ピースの端部間に接合部を介在させて、各分断部分を相互に連結することを特徴とするプレキャストコンクリート製架構体。
【請求項５】
前記垂直材は、前記上，下水平材の長手方向に沿って等間隔で配置され、
前記上，下水平材ピースは、前記垂直材を中心として、その両端に等長になるように延設され、かつ、各上，下水平材ピースの１／２長の合計が前記等間隔内に含まれる前記上，下水平材の長さとなるようにするとともに、
前記第１および第２斜材ピースは、これらの各長さの総和が、前記斜材長に等しくなるようにしたことを特徴とする請求項４記載のプレキャストコンクリート製架構体。
【請求項６】
前記上，下水平材は、分断位置が異なっていて、前記上，下水平材ピースの長さを異ならせることを特徴とする請求項５記載のプレキャストコンクリート製架構体。
【請求項７】
前記接合部は、一方の前記水平材の端部に突設された略ロ字形の突起部と、
他方の前記水平材の端部に突設され、前記突起部の外周に沿って重合可能な凸部とを備え、
前記突起部と前記凸部とを重合させて固着した状態で、前記水平材の端部間に高強度コンクリートなどの硬化性充填材を充填することを特徴とする請求項１から６のいずれか１項記載のプレキャストコンクリート製架構体。
【発明の詳細な説明】
【０００１】
【発明の属する技術分野】
この発明は、プレキャストコンクリート製架構体に関し、特に、ラーメンないしはトラス形状のプレキャストコンクリート製架構体に関するものである。
【０００２】
【従来の技術】
橋桁などの構造形式として、トラス形状やラーメン形状の架構体が知られており、このような形状の架構体は、全体的に剛性が高い割には、軽量であるという特徴を有している。
【０００３】
この種の架構体は、通常、鋼材で構成されているが、構成材料にコンクリートを用いると、鋼材に比べて重量が重くなるものの、より撓み難く、防食面でのメンテナンスも有利になる。
【０００４】
トラス形状やラーメン形状の架構体をコンクリートで形成する際には、型枠を使用して、下から上に順次コンクリートを打設することで形成されるが、このような方法では、型枠，支保工が複雑で、かつ、不安定であり、打ち上がりコンクリートの品質にもバラツキが生じるという問題がある。
【０００５】
このような問題を解決するに、例えば、特許文献１には、プレキャストコンクリート製の部材を用いて、トラス形状の架構体を形成することが提案されている。この特許文献１に提案されている方法では、プレキャストコンクリート製の主材と、同コンクリート製の接合部材とを用いて、トラス形状の架構体を形成する。
【０００６】
主材は、トラス構造の弦材となるものであって、上下方向に所定の間隔を隔てて設置される一対から構成され、接合部材は、×印状に形成されていて、トラス材となるものであって、４つの端部を主材に設けられた受部にＰＣ鋼材を挿通して緊結することにより固定される。
【０００７】
しかしながら、このような従来のプレキャストコンクリート製のトラス架構体には、以下に説明する課題があった。
【０００８】
【特許文献１】
特公平７−１１９５００号公報
【０００９】
【発明が解決しようとする課題】
すなわち、特許文献１に開示されている架構体では、×印状の接合部材は、外周側の４つ端部を、主材にそれぞれＰＣ鋼材を挿通して固定するので、接合部材と主材との結合作業が煩雑であり、しかも、主材と接合部材との間の結合部は、トラス構造で重要な個所であるが、この部分をＰＣ鋼材の挿通緊結で固定すると、結合強度にバラツキが発生し易く、架構体の品質維持に問題が発生する恐れがあった。
【００１０】
この場合、トラス構造は、特許文献１に開示されている形状だけでなく、×印状の結合部材に加えて、例えば、主材の長手方向と直交する方向に垂直材を配置することも行われているが、このような形状のトラス構造では、主材と結合材および垂直材の３部材結合部が発生し、このような結合部を個別作業により、結合するとより一層作業が煩雑になり、品質にもバラツキが一層発生し易くなる。
【００１１】
本発明は、このような従来の問題点に鑑みてなされたものであって、その目的とするところは、構成部材同士の結合部を高品質に維持することができるプレキャストコンクリート製架構体を提供することにある。
【００１２】
【課題を解決するための手段】
上記目的を達成するために、本発明は、上下方向に所定の間隔を置いて平行に配置される一対の上，下水平材と、両端が前記水平材に結合され、前記上，下水平材の長手方向と直交する垂直材とを備え、前記垂直材が前記上，下水平材の長手方向に沿って所定の間隔を隔てて複数配置されるラーメン形状のプレキャストコンクリート製架構体であって、前記垂直材の両端と前記上，下水平材との間に設けられる一対の２部材結合部を含み、前記上，下水平材を適宜長さで分断した上，下水平材ピースが、前記垂直材の両端に予め一体形成された概略Ｉ字形のプレキャストコンクリートユニットを備え、前記プレキャストコンクリートユニットの複数を、天地を交互に逆転させた状態で順次隣接配置し、前記上，下水平材ピースの端部間に接合部を介在させて、分断部分を相互に連結するようにした。
【００１３】
このように構成したプレキャストコンクリート製架構体によれば、垂直材の両端と上，下水平材との間に設けられる一対の２部材結合部を含み、上，下水平材を適宜長さで分断した上，下水平材ピースが、垂直材の両端に予め一体形成された概略Ｉ字形のプレキャストコンクリートユニットを備え、プレキャストコンクリートユニットの複数を、天地を交互に逆転させた状態で順次隣接配置し、上，下水平材ピースの端部間に接合部を介在させて、分断部分を相互に連結してラーメン形状の架構体とするので、２部材結合部の品質は、プレキャストコンクリートユニットを予め一体成形する際に、均一状態で確保することができる。
【００１４】
前記垂直材は、前記上，下水平材の長手方向に沿って等間隔で配置され、前記上，下水平材ピースは、前記垂直材を中心として、その両端に等長になるように延設され、かつ、各上，下水平材ピースの１／２長の合計が前記等間隔内に含まれる前記上，下水平材の長さとなるようにすることができる。
【００１５】
この構成によれば、１つのプレキャストコンクリートユニットだけでラーメン形状の架構体を構築することができるので、構成部材の点数を削減することができ、管理も容易になる。
【００１６】
前記上，下水平材は、分断位置が異なっていて、分断された前記上，下水平材ピースの長さを異ならせることができる。
【００１７】
また、本発明は、上下方向に所定の間隔を置いて平行に配置される一対の上，下水平材と、両端が前記水平材に結合され、前記上，下水平材の長手方向と直交する垂直材と、前記上，下水平材の長手方向に沿って所定の間隔を隔てて複数配置された前記垂直材の前後方向に隣接する一対の上下端に両端が結合され、前記上，下水平材の長手方向と斜交する複数の斜材とを備えたトラス形状のプレキャストコンクリート製架構体であって、前記垂直材と前記上，下水平材との間の２部材結合部、および、前記２部材結合部の一方に前後方向に隣接する一対の前記斜材の端部がそれぞれ結合した３部材結合部を含み、前記垂直材の両端部に、前記上，下水平材を適宜長さで分断した上，下水平材ピース、および、前記一対の斜材を適宜長さで分断した第１および第２斜材ピースとを予め一体成形したプレキャストコンクリートユニットを備え、前記プレキャストコンクリートユニットの複数を、天地および表裏を交互に逆転させた状態で順次隣接配置し、前記上，下水平材ピースの端部間、および、前記斜材ピースの端部間に接合部を介在させて、各分断部分を相互に連結するようにした。
【００１８】
このように構成したプレキャストコンクリート製架構体によれば、垂直材と上，下水平材との間の２部材結合部、および、２部材結合部の一方に前後方向に隣接する一対の斜材の端部がそれぞれ結合した３部材結合部を含み、垂直材の両端部に、上，下水平材を適宜長さで分断した上，下水平材ピース、および、一対の斜材を適宜長さで分断した第１および第２斜材ピースとを予め一体成形したプレキャストコンクリートユニットを備え、プレキャストコンクリートユニットの複数を、天地および表裏を交互に逆転させた状態で順次隣接配置し、上，下水平材ピースの端部間、および、斜材ピースの端部間に接合部を介在させて、各分断部分を相互に連結してトラス形状の架構体とするので、２部材および３部材結合部の品質は、ユニットを予め一体成形する際に、均一状態で確保することができる。
【００１９】
前記垂直材は、前記上，下水平材の長手方向に沿って等間隔で配置され、前記上，下水平材ピースは、前記垂直材を中心として、その両端に等長になるように延設され、かつ、各上，下水平材ピースの１／２長の合計が前記等間隔内に含まれる前記上，下水平材の長さとなるようにするとともに、前記第１および第２斜材ピースは、これらの各長さの総和が、前記斜材長に等しくなるようにすることができる。
【００２０】
この構成によれば、同一形状の１つのプレキャストコンクリートユニットだけでトラス形状の架構体を形成することができるので、構成部材の点数を削減することができ、管理も容易になる。
【００２１】
前記上，下水平材は、分断位置が異なっていて、前記上，下水平材ピースの長さを異ならせることができる。
【００２２】
前記接合部は、一方の前記水平材の端部に突設された略ロ字形の突起部と、他方の前記水平材の端部に突設され、前記突起部の外周に沿って重合可能な凸部とを備え、前記突起部と前記凸部とを重合させて固着した状態で、前記水平材の端部間に高強度コンクリートなどの硬化性充填材を充填することができる。
【００２３】
【発明の実施の形態】
以下、本発明の好適な実施の形態について、添付図面に基づいて詳細に説明する。図１から図４は、本発明にかかるプレキャストコンクリート製架構体の第１実施例を示している。
【００２４】
同図に示した実施例は、本発明をラーメン形式のプレキャストコンクリート（以下、ＰＣと略す）製架構体１０に適用した場合を例示している。図１は、本実施例のＰＣ製架構体１０の全体図であり、同図に示したＰＣ製架構体１０は、角形棒状の上，下水平材１２，１４および垂直材１６とを備えている。
【００２５】
上，下水平材１２，１４は、上下方向に所定の間隔を置いて平行に配置されている。垂直材１６は、両端が上，下水平材１２，１４に固設され、長手軸が各水平材１２，１４の長手方向と直交するように配置されている。
【００２６】
また、垂直材１６は、各水平材１２，１４の長手方向に沿って、等間隔になるように、複数配置されており、この結果、１ラーメン要素の水平材１２，１４の長さＬ０は、垂直材１６の配置間隔と一致している。本実施例の場合、垂直材１６の全長と、１ピッチ分の水平材１２，１４の長さＬ０とがほぼ等しくなるように設定されている。
【００２７】
このような構成のラーメン形状架構体１０は、本実施例の場合、１つの同一形状のＰＣユニット１８から構成されている。図２に、本実施例のＰＣユニット１８の詳細を示している。
【００２８】
同図に示したＰＣユニット１８は、上，下水平材１２，１４と垂直材１６の上下端との間に形成される概略Ｔ字形の上，下に配置された２部材結合部２０，２２を含んでいる。
【００２９】
垂直材１６の両端には、上，下水平材１２，１４を分断した上，下水平材ピース１２ａ，１４ａが一体に設けられていて、ＰＣユニット１８は、概略Ｉ字形に形成されている。
【００３０】
上，下水平材ピース１２ａ，１４ａは、垂直材１６の長手軸を中心として、その両端に等長になるように延設されていて、それぞれＬ１，Ｌ２の長さを有している。
【００３１】
本実施例の場合、上水平材ピース１２ａは、下水平材ピース１４ａよりも短くなるように分断されているが、その分断位置は、これに限る必要はなく、例えば、双方の長さを等長としてもよい。
【００３２】
また、本実施例の場合には、各水平材ピース１２ａ，１４ａの１／２長の合計、すなわち、１／２Ｌ１＋１／２Ｌ２が、前後方向に配置された一対の垂直材１６の配置間隔、すなわち、１ピッチ分の上，下水平材１２，１４の長さＬ０に等しくなるように設定されている。
【００３３】
つまり、本実施例の場合には、各水平材ピース１２ａ，１４ａの長さの関係が、１／２Ｌ１＋１／２Ｌ２＝Ｌ０となれば、どのような分断状態であってもよい。このような形状のＰＣユニット１８は、予め工場生産により一体成形される。この際に、上，下水平材１２，１４を適宜長さで分断した各水平材ピース１２ａ，１４ａ端部には、図３，４に示す接合部２４がそれぞれ設けられる。
【００３４】
これらの図に示した接合部２４は、一方の上ないしは下水平材ピース１２ａ，１４ａの端部に突設された突起部２４ａと、他方の上ないしは下水平材ピース１２ａ，１４ａの端部に突設された凸部２４ｂとを備えている。
【００３５】
突起部２４ａは、所定の幅の金属プレートを正方形の各辺上に位置されるようにして、上，下水平材ピース１２ａ，１４ａの端部に埋設したものであって、略ロ字形に配置されている。
【００３６】
凸部２４ｂは、所定幅を有し、先端に凹状の切欠部が設けられた略Ｅ字形の金属プレートを、正方形の各辺上に位置されるようにして、上，下水平材ピース１２ａ，１４ａの端部に埋設したものであって、上，下水平材ピース１２ａ，１４ａの端部同士が突き当たるようにスラスト方向に移動させると、各凸部２４ｂの内面が、突起部２４ａの外面に沿って重合するようになっている。
【００３７】
以上のような構造のＰＣユニット１８を用いてラーメン形状の架構体１０を形成する際には、まず、図２に示すように、１つのＰＣユニット１８が、上水平材ピース１２ａ側が上部に位置するように配置される。
【００３８】
次に、このＰＣユニット１８に隣接して他のＰＣユニット１８が設置される。この際には、図２に示すように、他のＰＣユニット１８は、天地を逆にして、上水平材１２ａ側が下方に位置するように配置される。
【００３９】
隣接配置された一対のＰＣユニット１８は、上，下水平材ピース１２ａ，１４ａの端部同士が対向するので、これらの端部同士をスラスト方向に移動させて、接合部２４の突起部２４ａと凸部２４ｂとを重合させる。
【００４０】
重合させた突起部２４ａと凸部２４ｂは、全周溶接などにより相互に固着させた状態で、上，下水平材ピース１２ａ，１４ａの端部間に高強度コンクリートなどの硬化性充填材２４ｃを充填して、上，下水平材ピース１２ａ，１４ａを相互に連結する。
【００４１】
以後は、同様な操作を順次繰り返えし、この操作を複数回繰り返すことで、図１に示すような、所望長さのラーメン形状のＰＣ製架構体１０が構築される。さて、以上のように構成したＰＣ製架構体１０によれば、垂直材１６の両端と上，下水平材１２，１４との間に設けられる一対の２部材結合部２０，２２を含み、上，下水平材１２，１４を適宜長さで分断した上，下水平材ピース１２ａ，１４ａが、垂直材１６の両端に予め一体形成された概略Ｉ字形のＰＣユニット１８を備え、ＰＣトユニット１８の複数を、天地を交互に逆転させた状態で順次隣接配置し、上，下水平材ピース１２ａ，１４ａの端部間に接合部２４を介在させて、分断部分を相互に連結してラーメン形状の架構体１０とするので、２部材結合部２０，２２の品質は、ＰＣトユニット１８を予め一体成形する際に、均一状態で確保することができ、これらの結合部２０，２２の品質を高くすることが可能になる。
【００４２】
また、このような２部材結合部２０，２２をＰＣユニット１８として予め形成しておくと、架構体１０を形成する際の作業性が大きく向上する。
【００４３】
また、本実施例の場合には、垂直材１６は、上，下水平材１２，１４の長手方向に沿って等間隔（長さＬ０）で配置され、上，下水平材ピース１２ａ，１４ａは、垂直材１６を中心として、その両端に等長になるように延設され、かつ、各上，下水平材ピース１２ａ，１４ａの１／２長の合計（１／２Ｌ１＋１／２Ｌ２）が、等間隔内に含まれる上，下水平材１２，１４の長さＬ０となるように設定している。
【００４４】
この構成によれば、１つのＰＣユニット１８だけでラーメン形状の架構体１０を構築することができるので、構成部材の点数を削減することができ、管理も容易になる。
【００４５】
また、本実施例の場合、ＰＣユニット１８間の連結に用いる接合部２４は、上，下水平材１２，１４の端部同士を突き合わせることだけで接合作業が行えるので、接合作業の効率も向上する。
【００４６】
図５および図６は、本発明にかかるプレキャストコンクリート製架構体の第２実施例を示しており、上記第１実施例と同一もしくは相当する部分には、同一符号を付してその説明を省略するとともに、以下にその特徴点についてのみ詳述する。
【００４７】
これらの図に示したＰＣ製架構体３０は、本発明をトラス形状にものに適用した場合を例示している。トラス形状のＰＣ架構体３０は、その全体構成を図５に示すように、ともに角形棒状に形成された一対の上，下水平材３２，３４と、複数の垂直材３６、および、複数の斜材３８とを有している。
【００４８】
一対の上，下水平材３２，３４は、上下方向に所定の間隔を置いて平行に配置される。垂直材３６は、両端が水平材３２，３４に固設され、長手軸が水平材３２，３４の長手軸と直交するように配置されている。
【００４９】
また、垂直材３６は、各水平材３２，３４の長手方向に沿って、等間隔なるように複数配置されており、この結果、１トラス要素の水平材３２，３４の長さＬ１０は、垂直材３６の配置間隔と一致する長さとなる。本実施例の場合、垂直材３６の全長と、１ピッチ分の水平材３２，３４の長さＬ１０とがほぼ等しくなるように設定されている。
【００５０】
斜材３８は、前後方向に隣接配置された一対の垂直材３６の上下端側に両端が結合され、長手軸が上，下水平材３２，３４と概略４５°の角度で斜交するように配置されている。
【００５１】
本実施例の場合、このような構成の架構体３０は、１つの同一形状のＰＣユニット４０から構成されている。図６に、本実施例のＰＣユニット４０の詳細を示している。
【００５２】
同図に示したＰＣユニット４０には、上水平材３２と垂直材３６の上端との間に形成される概略Ｔ字形の２部材結合部４２と、下水平材３４と垂直材３６の下端、および、一対の斜材３８の下端側とが合流した枝状の３部材結合部４４とが含まれている。
【００５３】
垂直材３６の両端には、上，下水平材３２，３４を分断した上，下水平材ピース３２ａ，３４ａが一体に設けられている。上，下水平材ピース３２ａ，３４ａは、垂直材３６の長手軸を中心として、その両端に等長になるように延設されていて、それぞれＬ１１，Ｌ１２の長さを有している。
【００５４】
本実施例の場合、上水平材ピース３２ａは、下水平材ピース３４ａよりも長くなるように分断されているが、その分断位置は、これに限る必要はなく、例えば、双方の長さを等長としてもよい。
【００５５】
また、本実施例の場合には、各水平材ピース３２ａ，３４ａの１／２長の合計、すなわち、１／２Ｌ１１＋１／２Ｌ１２が、前後方向に配置された一対の垂直材３６の配置間隔、すなわち、１ピッチ分の上，下水平材１２，１４の長さＬ１０に等しくなるように設定されている。
【００５６】
また、垂直材３６の下部側に位置する３部材結合部４４には、前後方向に隣接配置される一対の斜材３８を分断した第１および第２斜材ピース３８ａ，３８ｂが設けられている。
【００５７】
第１斜材ピース３８ａは、長さＬ１４を有し、第２斜材ピース３８ｂは、長さＬ１５を有している。各斜材ピース３８ａ，３８ｂの長さの総和（Ｌ１４＋Ｌ１５）は、斜材３８の長さＬ１３と等しくなるように設定されている。
【００５８】
このような形状のＰＣユニット４０は、予め工場生産により一体成形される。この際に、上，下水平材３２，３４および斜材３８を分断した部分、すなわち、上，下水平材ピース３２ａ，３４ａおよび第１，第２斜材ピース３８ａ，３８ｂのそれぞれの端部には、図３，４に示した第１実施例と同様な接合部２４がそれぞれ設けられる。
【００５９】
なお、本実施例の場合には、上，下水平材３２，３４に設けられた接合部２４は、上記実施例と同様に、上，下水平材３２，３４をスラスト方向に移動させて付き合わせるので、第１実施例と全く同じ構成でよいが、斜材３８に設ける接合部２４は、横移動を伴って端部同士を近接させるので、突起部２４ａと凸部２４ｂとが干渉する恐れがあるので、例えば、突起部２４ａの対向する２枚の長さを短くするなどの対策を施すことが望ましい。
【００６０】
以上のような構造のＰＣユニット４０を用いてトラス形状の架構体３０を形成する際には、まず、図６に示すように、１つのＰＣユニット４０が、上水平材ピース３２ａ側が上部に位置するように配置される。
【００６１】
次に、このＰＣユニット４０に隣接して他のＰＣユニット４０が設置される。この際には、図６に示すように、他のＰＣユニット４０は、天地および表裏を逆にして、上水平材ピース３２ａ側が下方に位置するように配置される。
【００６２】
隣接配置された一対のＰＣユニット４０は、上，下水平材ピース３２ａ，３４ａの端部同士が対向するので、これらの端部同士をスラスト方向に移動させて、接合部２４の突起部２４ａと凸部２４ｂとを重合させる。
【００６３】
この際に、斜材ピース３８ａ，３８ｂの端部同士も近接させて、同様に、接合部２４の突起部２４ａと凸部２４ｂとを重合させる。重合させた突起部２４ａと凸部２４ｂは、全周溶接などにより相互に固着させた状態で、上，下水平材ピース３２ａ，３４ａおよび斜材ピース３８ａ，３８ｂの端部間に高強度コンクリートなどの硬化性充填材２４ｃを充填して、これらを連結する。
【００６４】
以後は、同様な操作を順次繰り返えし、この操作を複数回繰り返すことで所望長さのトラス形状のＰＣ製架構体３０が構築される。さて、以上のように構成したトラス形状架構体３０によれば、垂直材３６と上，下水平材３２，３４との間の２部材結合部４２、および、２部材結合部４２の一方に前後方向に隣接する一対の斜材３８の端部がそれぞれ結合した３部材結合部４４を含み、垂直材３６の両端部に、上，下水平材３２，３４を適宜長さで分断した上，下水平材ピース３２ａ，３４ａ、および、一対の斜材３８を適宜長さで分断した第１および第２斜材ピース３８ａ，３８ｂとを予め一体成形したＰＣユニット４０を備え、ＰＣユニット４０の複数を、天地および表裏を交互に逆転させた状態で順次隣接配置し、上，下水平材ピース３２ａ，３４ａの端部間、および、斜材ピース３８ａ，３８ｂの端部間に接合部２４を介在させて、各分断部分を相互に連結してトラス形状の架構体３０とするので、２部材および３部材結合部４２，４４の品質は、ユニット４０を予め一体成形する際に、均一状態で確保することができる。
【００６５】
また、本実施例の場合には、垂直材３６は、上，下水平材３２，３４の長手方向に沿って等間隔で配置され、上，下水平材ピース３２ａ，３４ａは、垂直材３６を中心として、その両端に等長になるように延設され、かつ、各上，下水平材ピース３２ａ，３４ａの１／２長の合計（１／２Ｌ１１＋１／２Ｌ１２）が、等間隔内に含まれる上，下水平材３２，３４の長さ（Ｌ１０）となるようにするとともに、第１および第２斜材ピース３８ａ，３８ｂは、これらの各長さの総和（Ｌ１４＋Ｌ１５）が、斜材３８の長さ（Ｌ１３）に等しくなるようにしている。
【００６６】
このため、同一形状の１つのＰＣユニット４０だけでトラス形状の架構体３０を形成することができるので、構成部材の点数を削減することができ、管理も容易になる。
【００６７】
なお、上記実施例では、トラスないしはラーメン形状の架構体の構成部材である上，下水平材１２，１４ないしは垂直材１６を角形棒状に形成したものを例示したが、本発明は、これに限定されることはなく、例えば、丸形棒状のものや、平板状のものにも適用することができる。
【００６８】
【発明の効果】
以上、詳細に説明したように、本発明にかかるプレキャストコンクリート製架構体によれば、構成部材数の低減を図り、かつ、構成部材同士の結合部を高品質に保つことができる。
【図面の簡単な説明】
【図１】本発明にかかるプレキャストコンクリート製架構体の第１実施例を示す全体正面図である。
【図２】図１の要部抽出説明図である。
【図３】図１の接合部の詳細斜視図である。
【図４】図３の接合部の接合完了状態の説明図である。
【図５】本発明にかかるプレキャストコンクリート製架構体の第２実施例を示す全体正面図である。
【図６】図５の要部抽出説明図である。
【符号の説明】
１０，３０          プレキャストコンクリート（ＰＣ）製架構体
１２，３２          上水平材
１２ａ，３２ａ      上水平材ピース
１４，３４          下水平材
１４ａ，３４ａ      下水平材ピース
１６，３６          垂直材
１８，４０          プレキャストコンクリート（ＰＣ）ユニット
２４                接合部
３８                斜材
３８ａ              第１斜材ピース
３８ｂ              第２斜材ピース
【図１】
2004225337.tif 000003
【図２】
2004225337.tif 000004
【図３】
2004225337.tif 000005
【図４】
2004225337.tif 000006
【図５】
2004225337.tif 000007
【図６】
2004225337.tif 000008